(57)【要約】【課題】詰め替え式スプレー缶においてキャップからのバルブの着脱を簡単、且つ容易にする。【解決手段】キャップの上縁に形成されていた鍔をなくし、キャップを筒条にして、上部の所定の位置にスナップリングを取り付けるように形成して、バルブはキャップの上から挿嵌し、それをスナップリングによりキャップに固定させるように構成した。【選択図】図２
2005206236.tif 000002
【特許請求の範囲】
【請求項１】
詰め替え式のスプレー缶において、キャップは上縁に鍔がなく、筒状に形成されており、内面の下部に雌ネジ２１が螺設されていて、これを缶本体の頭端部の雄ネジに螺合させることにより缶本体に取り付けるようになっており、雌ネジの上には突条が形成されて、キャップにバルブを挿し込んだときにそのマウンテンカップの外縁がこれにより係止されるように構成されており、また、突条の上位には溝２４が形成されていて、キャップにバルブを挿し込んだのち、その上にリング状のストッパプレートを載せ、次いで溝にスナップリングを嵌めることによりバルブをキャップに取り付けるように構成されていることを特徴とする詰め替え式スプレー缶。
【発明の詳細な説明】
【技術分野】
【０００１】  本発明は、詰め替え方式のスプレー缶に関し、特にバルブを着脱容易に構成したものである。
【背景技術】
【０００２】  スプレー缶は容量が５００〜１，０００ｍｌ程度のハンディタイプの耐圧缶であり、頭部にはバルブが取り付けられている。
このバルブは中心にステムが遊嵌されており、上端が突出していて、これステムを押し下げることにより缶に充填された潤滑剤、化粧品、洗剤、塗料などの液状の材料をそれから吐出し、噴出するものである。
殊に、詰め替え式のスプレー缶は頭部にキャップがねじ嵌めされており、バルブがこれに取り付けられてキャップの一部をなしていて、キャップを取り外して液状材料を補充したり、他の液状材料と詰め替えたりするようになっている。又、缶の本体には気体の送込バルブが取り付けられていて、キャップを嵌めつけた後ここから圧搾空気などを圧入して缶内を所定の圧力にするようになっている。【０００３】  従来の詰め替え式スプレー缶は、キャップの上縁に係止鍔が形成されていると共に、内周面の適所に嵌合溝が形成されており、更にそれにリング状のゴムパッキンが埋設されていて、バルブはキャップの下から圧入して、そのマウンテンカップが係止鍔の下面に当たって係止されると同時にその外周が嵌合溝のゴムパッキンの位置に合致してそこに圧着され、固定されるようになっている。【０００４】  詰め替え式スプレー缶は、使用回数が多く、換言すればステムを押し下げる回数が多いので、ステムラバー等が磨耗したり、ステムとハウジングとの間に、ガタが生じたりすることがある。
又、液状材料には有機溶媒や無機溶媒などを含むものがあり、スプレー缶はそれらの液状材料を変えて使用することもあるので、その材料に適合したステムラバーを有するバルブと取り替える必要が生じることが多い。
ところが従来の詰め替え式スプレー缶では、上記したようにバルブがキャップに嵌着されていて、本来は着脱しないように構成されているので、キャップからバルブを取り外すのは容易ではないし、取替えを繰り返すとゴムパッキンが損傷するなどの事故が生じることとなる。
そのため従来の詰め替え式スプレー缶は、スプレー缶自体は長期間の使用が可能であり、複数種の液状材料に対応することが出来るように形成されているものゝ、バルブを取り替えることが困難であるためにそれらが著しく制限されると云う問題があった。
【特許文献１】特開２０００−２５４８２７号公報
【特許文献２】特開平９−０９３４７８号公報
【発明の開示】
【発明が解決しようとする課題】
【０００５】  解決しようとする問題点は、キャップからのバルブの着脱が容易でない点である。
【課題を解決するための手段】
【０００６】  本発明は、キャップにバルブをキャップの下から圧入して取り付けるのではなく、キャップの上から挿嵌してＥリングで固定させるようにし、着脱容易に構成したことを最も主要な特徴とする。
【発明の効果】
【０００７】  本発明の詰め替え式スプレー缶は、キャップへのバルブの着脱を容易にしたので、常に適正な状態で使用することが出来るという利点がある。
【発明を実施するための最良の形態】
【０００８】  キャップへのバルブの着脱を容易にし、簡単な操作でバルブを交換することができるようにして、液状材料の選択や交換を制限されないようにするという目的を、バルブをキャップの上から挿し込み、Ｅリングで固定すると云う構成にしたことにより実現した。
【実施例１】
【０００９】  図１に、本発明に係る詰め替え式スプレー缶の１実施例の断面図を示す。
この実施例では替え式スプレー缶は、缶本体１とキャップ２とから成り、キャップ２にはバルブが取り付けられている。
この詰め替え式スプレー缶はキャップ２に対してバルブの着脱と交換が容易であるように構成されている以外は通常のこの種のものと同様であって、缶本体１は上部が細くなって頸１１が形成されており、それに気体の送込プラグ１２が取り付けられていて缶内に圧搾空気などの圧搾気体を圧入するようになっていると共に、外面の上部には雄ネジ１３が螺設されていて、キャップ２を嵌め付けるようになっている。
また、内面の上部には溝が窄成され、それにパッキン１４が取り付けられてい
て、缶本体１（の頸１１）にキャップ２を嵌めつけると、缶本体１とマウンテンカップ３１との間（バルブとの間）がシールされるようになっている。
キャップ２は上縁に鍔がなく、筒状に形成されており、内面の下部に雌ネジ２１が螺設されていて、これを缶本体１の頭端部の雄ネジ１３に螺合させることにより缶本体に取り付けるようになっている。
雌ネジ２１の上には突条が形成されて、キャップ２にバルブを挿し込んだときにそのマウンテンカップ３１の外縁がこれにより係止される
尚、突条はそれよりも上位のキャップ２の内径よりも僅かに小さくて、バルブをキャップ２に挿し入れたときにマウンテンカンプ３１の外縁があたって係止されて下への抜け落ちを防ぐものであって、図示の実施例ではキャップ２に溝２２が形成されており、ここにストッパリング（Ｃリング）２３が嵌められていて、突条の機能を発揮するようにしてある。
また、溝２２の上位には溝２４が形成されていて、キャップ２にバルブを挿し込んだのち、その上にリング状のストッパプレート２５を載せ、次いで溝２４にスナップリング（Ｅリング）２６を嵌めることによりバルブをキャップ２に取り付けるようになっている。
バルブは、通常のこの種のものと同様であって、マウンテンカップ３１とハウジング３２、及びステム３３とから成る
マウンテンカップ３１はハウジング３２とステム３３を支持すると共に、バルブをキャップ２に取り付けるもので、中心には小孔が形成されていて、ここからステム３３の先端部分が突出するようになっており、更にその下面には窪が形成されていて、この窪にハウジング３２が固定され、更にそれにステム３３が上下に摺動自在に嵌められている。
また、ハウジング３２の下端にはパイプ３４が取り付けられており、それが缶本体１の底付近にまで達するようになっており、更に、図示はしないが、マウンテンカップ３１はハウジング３２の上端との間にはステムラバーが取り付けられていて缶のシールしステム３３の円滑な昇降が図られている。【００１０】  バルブをキャップ２に取り付けるときは、予めストッパリング２３を溝２２に嵌めておき、キャップ２の上から挿し入れ、バルブをマウンテンカップ３１の外縁がストッパリング２３にまで達して係止されるまで挿し込む。
次いでキャップ２にストッパプレート２５を入れてバルブに載せ、溝２４にスナップリング２６を嵌める。
又、キャップ２からバルブを取り出すときは、先ずキャップ２からスナップリング２６を取り外す。するとキャップ２内ではストッパリング２３とバルブが自由状態になるのでこれらをキャップ２から取り出すのである。
【産業上の利用可能性】
【００１１】  キャップ２に形成されている溝２４にスナップリング２６を着脱するだけでバルブの着脱を簡単、且つ容易に行うことができるので、常に良好な状態のバルブを用いることが出来る。
しかも使用する液状材料変えるときは速やかにそれに適合したバルブを選択することができるので、一つのスプレー缶で多種類の液状材料を用いることが出来ることゝなり、スプレー缶の利用価値が著しく高められるのである。
【図面の簡単な説明】
【００１２】
【図１】詰め替え式スプレー缶の一例を示す外観図である。
【図２】詰め替え式スプレー缶とバルブの要部を示す説明図である。
【符号の説明】
【００１３】１    缶本体
２    キャップ
１１  頸
１２  送込プラグ
１３  雄ネジ
１４  パッキン
１５  溝
２１  雌ネジ
２２  溝
２３  ストッパリング
２４  溝
２５  ストッパプレート
２６  スナップリング
３１  マウンテンカップ
３２  ハウジング
３３  ステム
３４  パイプ
【図１】
2005206236.tif 000003
【図２】
2005206236.tif 000004